【手続補正書】
【提出日】平成19年9月7日(2007.9.7)
【手続補正１】
【補正対象書類名】明細書
【補正対象項目名】全文
【補正方法】変更
【補正の内容】
【書類名】  明細書
【発明の名称】  厨芥処理機
【特許請求の範囲】
【請求項１】  厨芥を収納する収納部と、前記収納部内の厨芥を加熱する加熱部と、前記収納部内の温度を検知する第１の温度検知手段と、加熱した厨芥から発生する臭いや水蒸気を前記収納部外に排出する排気装置と、排気の温度を検知する第２の温度検知手段を備え、前記第１の温度検知手段の出力で前記加熱部を制御し、前記第２の温度検知手段の出力で乾燥処理の終了時期を判定して厨芥の乾燥処理運転を行ない、乾燥処理運転終了後に行う冷却においては、前記第１の温度検知手段の出力で冷却期間の終了を判断する厨芥処理機において、乾燥処理運転終了後に、所定期間ｔ１が経過しても冷却期間が終了しない場合は、前記第１の温度検知手段が異常であるとして、冷却終了と判断し処理を終了するようにした厨芥処理機。
【発明の詳細な説明】
【０００１】
【発明の属する技術分野】
本発明は、厨芥を乾燥処理する厨芥処理機に関するものである。
【０００２】
【従来の技術】
従来、この種の厨芥処理機は図３に示すように構成していた。以下、その構成について説明する。
【０００３】
図に示すように、厨芥処理機本体１は、吸引ファン２と吸引ファン２を駆動するモータ３、乾燥処理する厨芥を収容する収納部４、排気中の臭い成分を分解する脱臭手段５などを内蔵しており、収納部４の上部に厨芥ａを乾燥処理する加熱部６を設けるとともに、収納部４内の温度を検知する第１の温度検知手段７を設けている。脱臭手段５は吸引ファン２の吸気側に配置している。
【０００４】
厨芥処理機本体１の収納部４の上方には外気導入用の吸気口８を設け、厨芥ａの乾燥処理時は吸引ファン２をモータ３によって回転させて発生する吸気流によって吸気口８から厨芥処理機本体１内の収納部４内へ外気を導入し、厨芥ａと接する空気中の水蒸気の分圧をできるだけ小さくして厨芥ａ中の水分がそれと接触する空気中へ蒸発しやすいようにしている。さらに収納部４内を外気圧に対して若干負圧に保って正規の排気経路（脱臭手段５を通過する経路）以外からの臭いを含んだ排気の漏れを防止するようにしている。
【０００５】
また、収納部４から脱臭手段５の間に第２の温度検知手段９を設け、収納部４内の厨芥ａが乾燥したことを検知するようにしている。制御装置１０は、第１の温度検知手段７、第２の温度検知手段９の出力を入力し、モータ３、脱臭手段５、加熱部６などの動作を制御し、厨芥ａの乾燥処理運転を制御するとともに、乾燥処理運転終了後に加熱部６をオフして冷却させる期間を設け、この冷却期間を第１の温度検知手段７の出力で設定するように構成している。
【０００６】
上記構成において図４を参照しながら動作を説明する。収納部４内に厨芥ａを投入し、運転を開始すると、加熱部６に通電して収納部４内に厨芥ａを加熱するとともに、第１の温度検知手段７の出力Ｔ１により加熱部６を所定温度Ｔａで温度制御する。乾燥処理運転開始の初期には、脱水手段５の温度が高温でなく、充分な脱臭能力がないため、モータ３をオフして吸引ファン２を停止し、所定時間Ｔ経過後にモータ３をオンして吸引ファン２を駆動し、矢印で示すように吸排気が流れ、乾燥処理を進める。
【０００７】
一方、第２の温度検知手段９の出力Ｔ２は図４に示すように変化し、この出力によって乾燥状態を判断している。厨芥ａが未乾燥状態のときには蒸気が収納部４内に多く発生しており、この蒸気が脱臭手段５に導かれるため、高い温度の空気が第２の温度検知手段９の位置する経路に流れる。乾燥が進むと、収納部４内の蒸気量が減少するため脱臭手段５に流入する空気の温度が低下していく。
【０００８】
この変化をとらえて乾燥状態を判断し、第２の温度検知手段９の出力Ｔ２が点Ａに低下すると乾燥が終了したと判断し、加熱部６をオフし冷却させる。この冷却期間は、第１の温度検知手段７の出力が低下し点Ｂになると終了と判断していた。
【０００９】
【発明が解決しようとする課題】
このような従来の厨芥処理機では、第１の温度検知手段７の出力で冷却期間の終了を判断しているため、第１の温度検知手段７の出力が異常の場合、冷却期間が終了しないという問題があった。
【００１０】
本発明は上記従来の課題を解決するもので、第１の温度検知手段や第２の温度検知手段が異常の場合でも、乾燥処理運転終了後に行う冷却期間を確実に終了し、信頼性を向上することを目的としている。
【００１１】
【課題を解決するための手段】
本発明は上記目的を達成するために、厨芥を収納する収納部内の厨芥を加熱部により加熱し、加熱した厨芥から発生する臭いや水蒸気を排気装置により収納部外に排出するよう構成し、収納部内の温度を検知する第１の温度検知手段の出力で加熱部を制御し、排気の温度を検知する第２の温度検知手段の出力で乾燥処理の終了時期を判定して厨芥の乾燥処理運転を行ない、乾燥処理運転終了後に行う冷却においては、前記第１の温度検知手段の出力で冷却期間の終了を判断する厨芥処理機において、乾燥処理運転終了後に、所定期間ｔ１が経過しても冷却期間が終了しない場合は、前記第１の温度検知手段が異常であるとして、冷却終了と判断し処理を終了するようにしたものである。
【００１２】
これにより、第１の温度検知手段が異常の場合でも、乾燥処理運転終了後に行う冷却期間を確実に終了することができ、信頼性を向上することができる。
【００１３】
【発明の実施の形態】
本発明の請求項１に記載の発明は、厨芥を収納する収納部と、前記収納部内の厨芥を加熱する加熱部と、前記収納部内の温度を検知する第１の温度検知手段と、加熱した厨芥から発生する臭いや水蒸気を前記収納部外に排出する排気装置と、排気の温度を検知する第２の温度検知手段を備え、前記第１の温度検知手段の出力で前記加熱部を制御し、前記第２の温度検知手段の出力で乾燥処理の終了時期を判定して厨芥の乾燥処理運転を行ない、乾燥処理運転終了後に行う冷却においては、前記第１の温度検知手段の出力で冷却期間の終了を判断する厨芥処理機において、乾燥処理運転終了後に、所定期間ｔ１が経過しても冷却期間が終了しない場合は、前記第１の温度検知手段が異常であるとして、冷却終了と判断し処理を終了するようにしたものであり、第１の温度検知手段が異常の場合でも、乾燥処理運転終了後に行う冷却期間を確実に終了することができ、信頼性を向上することができる。
【００１４】
【実施例】
以下、本発明の一実施例について、図面を参照しながら説明する。なお、従来例と同じ構成のものは同一符号を付して説明を省略する。
【００１５】
図１に示すように、制御装置１１は、第１の温度検知手段７、第２の温度検知手段９の出力を入力し、モータ３、脱臭手段５、加熱部６などの動作を制御し、厨芥ａの乾燥処理運転を制御するとともに、第２の温度検知手段９の出力で乾燥処理の終了時期を判定し、乾燥処理運転終了後に行う冷却期間を、第１の温度検知手段７の出力が正常であれば、第１の温度検知手段７の出力で冷却終了とし、第１の温度検知手段７が異常のときは時間で設定するように構成している。他の構成は従来例と同じである。
【００１６】
上記構成において図２を参照しながら動作を説明する。収納部４内に厨芥ａを投入し、運転を開始すると、加熱部６に通電して収納部４内に厨芥ａを加熱する。乾燥処理運転開始の初期には、脱水手段５の温度が高温でなく、充分な脱臭能力がないため、所定時間Ｔはモータ３をオフして吸引ファン２を停止する。所定時間Ｔ経過後は、モータ３をオンして吸引ファン２を駆動し、矢印で示すように吸排気が流れ、加熱部６を第１の温度検知手段７の出力Ｔ１により、通常の処理時の所定温度Ｔａで温度制御し、乾燥処理を進める。
【００１７】
一方、第２の温度検知手段９の出力Ｔ２は図２に示すように変化し、この出力によって乾燥状態を判断している。厨芥ａが未乾燥状態のときには蒸気が収納部４内に多く発生しており、この蒸気が脱臭手段５に導かれるため、高い温度の空気が第２の温度検知手段９の位置する経路に流れる。
【００１８】
乾燥が進むと、収納部４内の蒸気量が減少するため脱臭手段５に流入する空気の温度が低下していく。この変化をとらえて乾燥状態を判断し、第２の温度検知手段８の出力Ｔ２が点Ａに低下すると乾燥が終了したと判断し、加熱部６をオフし冷却させる。
【００１９】
この冷却期間は、第１の温度検知手段７の出力が正常であれば、第１の温度検知手段７の出力Ｔ１が点Ｂに低下すると、冷却終了として処理を終了する。第１の温度検知手段７が異常であれば所定期間ｔ１が経過すると、冷却終了と判断し処理を終了する。
【００２０】
このように、乾燥処理運転終了後に行う冷却期間を、第１の温度検知手段７が異常のときは時間で設定するようにしているので、第１の温度検知手段７が異常の場合でも、乾燥処理運転終了後に行う冷却期間を確実に終了することができ、信頼性を向上することができる。
【００２１】
なお、本実施例では、乾燥処理運転終了後に行う冷却期間を、第１の温度検知手段７の出力で冷却終了とし、第１の温度検知手段７が異常のときは時間で設定するように構成しているが、乾燥処理運転終了後に行う冷却期間を第２の温度検知手段９の出力で冷却終了とし、第２の温度検知手段９が異常のときに時間で設定することにより、同様の作用効果を得ることができる。
【００２２】
また、本実施例の脱臭手段５としては触媒を用い、触媒により臭い成分を分解するようにしている。この触媒を活性化させるために温度を高める必要があるので、好ましくは触媒を加熱する触媒ヒータを設ける。しかも、触媒に流す排気温度により触媒の温度が低下することがあるので、本実施例のように、乾燥処理運転初期においては吸引ファン２をオフしておく必要がある。このようにすることで、触媒ヒータで触媒を加熱する方式の脱臭手段においても、乾燥処理運転初期に排気で触媒が冷却されることがなく、触媒を活性状態にするのを短時間で行うことができる。
【００２３】
【発明の効果】
以上のように本発明によれば、第１の温度検知手段が異常の場合でも、乾燥処理運転終了後に行う冷却期間を確実に終了することができ、信頼性を向上することができる。
【図面の簡単な説明】
【図１】
本発明の一実施例の厨芥処理機の一部切欠した側面図
【図２】
同厨芥処理機の温度制御のタイムチャート
【図３】
従来の厨芥処理機の一部切欠した側面図
【図４】
同厨芥処理機の温度制御のタイムチャート
【符号の説明】
２  吸引ファン（排気装置）
４  収納部
６  加熱部
７  第１の温度検知手段
９  第２の温度検知手段
ａ  厨芥